(57)【要約】【課題】乗かご内での犯罪行為を抑止することができるとともに、映像記録装置に映像が記録されているかどうかを乗かご内の乗客が容易に判断できるエレベータの防犯カメラ表示システムの提供。【解決手段】映像記録装置４に記録された映像信号の取込み開始を指令する第１信号を出力する第１出力手段と、この第１出力手段により取込みを開始した映像記録装置４の映像信号を、前記映像表示装置３に表示開始させる指令信号である第２信号を出力する第２出力手段を備えるとともに、映像記録装置４から取込んだ映像信号をリアルタイム映像に重畳させるように映像を切替えて、映像表示装置３へ表示する映像切替表示装置７を備えた構成にしてある。【選択図】図１
2008127147.tif 000002
【特許請求の範囲】
【請求項１】
エレベータの乗かごの奥側に設置され、前記乗かごの出入口側を撮影する防犯カメラと、前記乗かごの出入口側に配置され、前記防犯カメラの出力映像であるリアルタイム映像を表示する映像表示装置と、前記防犯カメラから出力された映像信号を記録する映像記録装置とを備えたエレベータの防犯カメラ映像表示システムにおいて、
前記映像記録装置に記録された前記映像信号の取込み開始を指令する第１信号を出力する第１出力手段と、この第１出力手段により取込みを開始した前記映像記録装置の前記映像信号を、前記映像表示装置に表示開始させる指令信号である第２信号を出力する第２出力手段を備えるとともに、前記映像記録装置から取込んだ前記映像信号を前記リアルタイム映像に重畳させるように映像を切替えて、前記映像表示装置へ表示する映像切替表示装置を備えたことを特徴とするエレベータの防犯カメラ映像表示システム。
【請求項２】
請求項１に記載の発明において、
前記第１信号は、エレベータのドアの開指令信号、前記ドアの開信号、前記ドアの全開信号、及び、前記開指令信号が出力されたときから前記全開信号が出力されるまでの間の時間を計時して出力される第１計時信号のうちのいずれかから成り、
前記第２信号は、前記ドアの閉指令信号、前記ドアの閉信号、エレベータの走行開始指令信号、前記閉指令信号が出力されたときから前記走行開始指令信号が出力されるまでの間の時間を計時して出力される第２計時信号のいずれかから成ることを特徴とするエレベータの防犯カメラ映像表示システム。
【請求項３】
請求項１または２に記載の発明において、
前記リアルタイム映像に重畳させて表示する前記映像表示装置の重畳画面は、少なくとも前記第１信号が出力されたときから第２信号が出力されるまでの前記映像表示装置の前記映像信号を繰り返し表示することを特徴とするエレベータの防犯カメラ映像表示システム。
【発明の詳細な説明】
【技術分野】
【０００１】
本発明は、エレベータの乗かご内、及び出入口を撮影する防犯カメラ映像表示システムに関する。
【背景技術】
【０００２】
前述のエレベータの乗かご内は、この乗かごのドアが閉まると完全な密室となり、外部から隔離された状態となるので、犯罪やいたずら行為が発生し易いという問題があった。そこで、特許文献１に示される従来の防犯カメラ映像表示システムでは、エレベータ乗かご内の防犯カメラで撮影された映像を乗かご内に設けた映像表示装置に表示することにより、乗客が乗かご内を監視することができるとともに、加害者が乗かご内が監視されていることに気づかされ、犯罪意識を自覚させるというシステムが提案されている。
【０００３】
また、特許文献２に示される従来の防犯カメラ映像システムでは、防犯カメラや防犯カメラからの信号伝送路に故障が発生し、映像信号が途絶した場合には、監視装置の映像信号に含まれる同期信号（水平同期信号、垂直同期信号）が監視装置で検出されなくなった事象（同期信号ロスト）を検出し、この検出信号を出力することにより、異常発生の警告や警報を発生させるというシステムが提案されている。このシステムは、多くの監視装置や映像記録装置に使用されている。
【０００４】
さらに、特許文献３に示される従来の防犯カメラ映像システムでは、特許文献２で説明した前記同期信号が正常に検出されている状況においても、カメラの画像の状態に、監視業務に支障をきたす異常が発生した場合には、この異常を検出し、警告や警報を発生させるシステムが提案されている。なお、このシステムには、画像を微分した値に基づいて異常を判別する画像センサが設けられている。
【特許文献１】特開平０３−３１１７７号公報
【特許文献２】特開２００１−１５７１９５公報
【特許文献３】特開２０００−１９４９６９公報
【発明の開示】
【発明が解決しようとする課題】
【０００５】
前述した特許文献１の従来技術では、防犯カメラがエレベータの乗かご奥側に設置され、乗かごの出入口側に映像表示装置が配置されている一般的な構成である。また、映像表示装置に写っている画面は、１画面にリアルタイム画像を映しているだけなので、乗客が映像表示装置を確認するときには、乗かご出入口を向いて立つことにより、後ろ姿しか映像表示装置に映らない。したがって、犯罪心理を考慮すると、乗客の顔が映っていないので、防犯を抑制することが難しいという問題があった。
【０００６】
また、特許文献２及び特許文献３の防犯カメラシステムは、防犯カメラ自体や防犯カメラの信号伝送路の故障を検出して、通報するものである。したがって、防犯カメラ等とは異なる映像記録装置、すなわち防犯カメラで撮影された映像を記録し、映像表示装置に出力する映像記録装置に不具合が生じて、防犯カメラの画像が表示されない場合や、防犯カメラの画像を再生不能な場合には、通信回線を用いて、遠隔的にこれらの異常の発生を監視センタに通報するため、この通報をするための機器の構成が複雑になるという問題もあった。
【０００７】
本発明は、このような従来技術の課題を考慮してなされたもので、その目的は、乗かご内での犯罪行為を抑止することができるとともに、映像記録装置に映像が記録されているかどうかを乗かご内の乗客が容易に判断できるエレベータの防犯カメラ表示システム提供することにある。
【課題を解決するための手段】
【０００８】
この目的を達成するために、本発明では、エレベータの乗かごの奥側に設置され、前記乗かごの出入口側を撮影する防犯カメラと、前記乗かごの出入口側に配置され、前記防犯カメラの出力映像であるリアルタイム映像を表示する映像表示装置と、前記防犯カメラから出力された映像信号を記録する映像記録装置とを備えたエレベータの防犯カメラ映像表示システムにおいて、前記映像記録装置に記録された前記映像信号の取込み開始を指令する第１信号を出力する第１出力手段と、この第１出力手段により取込みを開始した前記映像記録装置の前記映像信号を、前記映像表示装置に表示開始させる指令信号である第２信号を出力する第２出力手段を備えるとともに、前記映像記録装置から取込んだ前記映像信号を前記リアルタイム映像に重畳させるように映像を切替えて、前記映像表示装置へ表示する映像切替表示装置を備えたことを特徴としている。
【０００９】
このように構成した本発明では、映像切替表示装置により、第１出力手段により出力される第１信号を映像切替表示装置が受けてから、第2出力手段により出力された第２信号を映像切替表示装置が受けるまでに映像記録装置に記録される防犯カメラの映像、すなわち乗かご内に乗客が乗り込む際の映像を、映像表示装置に表示される防犯カメラによる乗かご内のリアルタイム映像に重畳させる。また、第2出力手段により出力された第２信号を映像切替表示装置が受けた後、この映像切替表示装置は、前述の重畳させた映像を乗かごの出入口側に配置された映像表示装置に切替えて表示させるようにした。これによって、乗かごの乗客は、自らの顔画像を含む映像を映像表示装置において見ることができ、これに伴って、乗かご内での犯罪行為が抑止される。また、乗かごの乗客は、映像表示装置に上述した映像が映っていないことに気づいたときには、映像記録装置に映像が記録されていないと容易に判断できる。
【００１０】
また、本発明は前記発明において、前記第１信号は、エレベータのドアの開指令信号、前記ドアの開信号、前記ドアの全開信号、及び、前記開指令信号が出力されたときから前記全開信号が出力されるまでの間の時間を計時して出力される第１計時信号のうちのいずれかから成り、前記第２信号は、前記ドアの閉指令信号、前記ドアの閉信号、エレベータの走行開始指令信号、前記閉指令信号が出力されたときから前記走行開始指令信号が出力されるまでの間の時間を計時して出力される第２計時信号のいずれかから成ることを特徴としている。
【００１１】
また、本発明は前記発明において、前記リアルタイム映像に重畳させて表示する前記映像表示装置の重畳画面は、少なくとも前記第１信号から出力されたときから第２信号が出力されるまでの前記映像表示装置の前記映像信号を繰り返し表示することを特徴としている。
【発明の効果】
【００１２】
本発明は、映像切替表示装置等によって乗かご内に乗客が乗り込む際の映像が、乗かご内のリアルタイム映像に重畳され、この重畳された映像が乗かご内の映像表示装置に映されるので、乗かごの乗客は、自らの顔画像を含む映像を映像表示装置において確認することができ、これにより、乗かご内での犯罪行為を従来よりも抑止することができるとともに、映像記録装置の映像が記録されているかどうかを乗かご内の乗客が容易に判断できる。また、映像記録装置に不具合が生じた場合には、映像表示装置に映像が表示されないので、そのことを映像表示装置の確認により乗客が判断できるので、従来のように異常の発生を監視センタに通報するための機器が不要になり、システムに含まれる機器構成を従来よりも簡素化することができ、これに伴って、製作費を低減できる。
【発明を実施するための最良の形態】
【００１３】
以下、本発明に係るエレベータの防犯カメラ映像表示システムを実施するための最良の形態を図に基づいて説明する。
【００１４】
［本実施形態の構成］
図１は、本発明に係るエレベータの防犯カメラ映像表示システムの一実施形態を示すブロック図、図２は、エレベータの乗かごに乗客が乗り込む状態を乗かごの上方から見た図である。
【００１５】
本実施形態の構成を図１、図２を用いて説明する。本実施形態に係るエレベータの防犯カメラ映像表示システムは、例えば、図１、図２に示すように、主に乗客を乗せる乗かご１の奥側背面の上方部に配置され、乗かご１の出入口側を撮影する防犯カメラ２と、この防犯カメラ２と対角の位置である出入口側の上方に配置され、防犯カメラ２の出力映像であるリアルタイム映像を表示する映像表示装置３と、防犯カメラから出力された映像信号を記録する映像記録装置４とを備えている。また、乗客の有無を検出する画像認識装置５と、乗かご１のドア８の開閉等の信号を制御するエレベータ制御装置６と、映像記録装置４から取り込んだ映像信号をリアルタイム映像に重畳させるように映像を切り替えて、映像表示装置３へ表示する映像切替表示装置７とを備えている。
【００１６】
なお、乗り乗かご１内には、この乗かご１で操作される図示しない開釦操作等によって動作する接点１Aと、乗かご１で操作される図示しない閉釦操作等によって動作する接点１Bとに動作信号を送信し、図示しないドア８を駆動させるドアモータを制御するリレー１Ｃが設けられている。
【００１７】
また、映像記録装置４は、防犯カメラ２の映像を乗客が検出するまでは、３秒の周期
で図示しないＲＡＭへ格納するようになっている。
【００１８】
前述した画像認識装置５は、防犯カメラ２に映る映像信号を画像として認識させるとともに、乗かご１内の乗客の有無を検出した後に、この乗客の有無の検出信号を映像表示装置３と映像記録装置４に出力するようになっており、乗客がいることを画像認識装置５が検出した場合には、映像表示装置３にリアルタイム映像の表示を開始させる指令信号を送り、乗客がいないことを検出した場合には、映像表示装置３に表示されているリアルタイム画像を非表示にさせる指令信号を送るようになっている。
【００１９】
また、前述のエレベータ制御装置６は、映像記録装置４に記憶された映像信号の取込み開始を指令する第１信号を映像切替表示装置７に出力する第１出力手段と、この第１出力手段により取込みを開始した映像記録装置４の映像信号を、映像表示装置３に表示開始させる指令信号である第２信号を例えば、接点１Ｂの制御信号として出力する第２出力手段とを備えている。つまり、エレベータ制御装置６は、リレー１Ｃと映像切替表示装置７へ、図２に示すように、乗客Bが矢印の方向へ乗り込む際の映像信号の取り込みを開始する第１信号（例えば、ドア８が開かれている状態を示すドア開信号）や、リアルタイム映像に前述の乗客Bが乗り込む際の映像信号を重畳させて映像表示装置３に表示開始させる指令信号、すなわち第２信号（例えば、ドア８を閉める指令であるドア閉指令信号）を映像切替装置７に出力するようになっている。
【００２０】
さらに、映像切替表示装置７は、前述のエレベータ制御装置６から送信される前述の第１信号や第２信号、又はエレベータ停止信号等を受信するとともに、乗客が乗り込む映像を含むことを示すトリガ信号を映像記録装置４に付加するようになっている。つまり、映像記録装置４のＲＡＭに格納されるトリガ信号が付加された映像信号には、乗客の顔画像が含まれるようになっている。
【００２１】
なお、乗かご１のドア８からエレベータ制御装置６へ出力される信号としては、ドア８が開いたことを検出するドア開信号、ドア８が全開したことを検出するドア全開信号等がある。
【００２２】
［本実施形態の動作］
図３は、本実施形態の動作を説明するためのフロー図、図４は、エレベータの乗かご内に乗客が乗り込んだ状態を示す背面図、図５は、乗かごに乗客が乗り込んだ後の映像表示装置の画面を示す拡大図、図６は、映像記録装置に不具合が生じた場合の画面の一例を示す図５に対応する図である。
【００２３】
次に、本実施形態の動作について主に、図３〜図５を用いて説明する。例えば、乗かご１に乗客Ａがいる状態にあって、乗客Ｂが図示しないエレベータ呼び釦の操作をすると、乗客Ｂのいる該等階にエレベータの乗かご１が呼びだされる。エレベータの乗かご１が該等階に到着すると、エレベータ制御装置６からドア開指令信号がリレー１Ｃと、映像切替表示装置７に出力され、ドア８が開き始め、エレベータ制御装置６に含まれる第１出力手段から、第１信号（ドア開信号）がエレベータ制御装置の図示しない制御回路へ出力される（Ｓ１）。エレベータ制御装置６は、第１信号（ドア開信号）によりドア８が開いたことを検知して、映像切替表示装置７へ第１信号（ドア開信号）を出力する。ここで、防犯カメラ２に映される映像信号は、図１に示す画像認識装置５、映像記録装置４、映像表示装置３、映像切替装置７に入力されており、映像記録表示装置４は、画像認識装置５が乗客を検出するまで防犯カメラ２の映像信号を３秒の周期で図示しないＲＡＭへ格納する（Ｓ２）。そして、図４に示すように、乗客が乗かご１内に乗り込み、この乗客が画像認識装置５で検出されると（Ｓ３）、この画像認識装置５が乗客の検出信号を映像記録装置４と映像表示装置３に送信し、乗客の検出信号を受信した映像記録装置４は、ステップ（Ｓ２）でＲＡＭに取り込まれた映像データを図示しないハードディスクへ格納する（Ｓ４）。
【００２４】
また、ステップ（Ｓ１）でエレベータ制御装置６から映像切替表示装置７へ第１信号（ドア開信号）が送信されると、映像切替表示装置７は、乗客が乗かご１に乗り込む映像を含むことを示すトリガ信号を映像記録表示装置４へ送信する（Ｓ５）。また、映像記録表示装置４は、ステップ（Ｓ４）でＲＡＭに取り込まれた映像データをハードディスクへ格納した後、乗客の検出信号を受信したとき、防犯カメラから出力される映像の表示を開始する（Ｓ６）。次に、映像表示装置４は、ハードディスクに記憶される映像データの中から、乗客が乗り込む映像を含むことを示すトリガ信号が付加された映像を取込み、映像切替表示装置７へ映像データを送信する（Ｓ７）。その後、映像切替表示装置７が映像表示装置４からの映像データを受信すると、図５に示すように、映像表示装置３のフルサイズ画面３Ａに重畳させて２画面の双方が見れるようなマルチ画面に対応できる小さい画面（例えば、フルサイズ画面３Ａの面積の１／４）サイズである重畳画面３Ｂに表示可能なように、映像の編集を行う（Ｓ８）。
【００２５】
そして、乗客Ｂが乗かご１に乗込んだ後、エレベータ制御装置６に含まれる第２出力手段から第２信号（ドア閉指令信号）がリレー１Ｃと、映像切替表示装置７に出力される（Ｓ９）。そして、第２信号（ドア閉指令信号）を受信した映像切替表示装置７は、防犯カメラ２からの映像信号をフルサイズ画面３Ａに編集し、このフルサイズ画面３Ａとステップ（Ｓ８）で重畳画面３Ｂに表示可能に編集された映像とを重畳させた映像を、映像表示装置３へ送信する（Ｓ１０）。その重畳させた映像を受信した映像表示装置３は、図５に示すように、フルサイズ画面３Ａに表示されるリアルタイム映像と、映像切替表示装置７が第１信号（ドア開信号）を受信したときからの乗客Ｂの顔映像が含まれる映像を重畳画面３Ｂに表示する（Ｓ１１）。ここで、乗客Ｂは、映像表示装置３内の自らの顔映像を含む重畳画面３Ｂを見ることになり、自らの顔映像が記録されていることを認識する。
【００２６】
なお、映像記録装置４やハードディスクに不具合が生じた場合には、映像切替装置７は、映像記録装置４から、乗客が乗り込む映像を含むことを示す映像を取込むことができない。したがって、図６に示すように、映像表示装置３の画面には、フルサイズ画面３Ａにリアルタイム映像のみが表示され、重畳画面には何も表示されない状態となる。
【００２７】
次に、乗かご１が指定階に到着し、乗かご１が停止をすると、乗客Ｂは、乗かご１から降りることになる。また、乗かご１の停止に伴って、その停止の信号をエレベータ制御装置６が映像切替表示装置７に出力することが行われる（Ｓ１２）。そして、この乗かご１の停止の信号を受信した映像切替表示装置７は、ステップ（Ｓ１０）で防犯カメラ２からの映像信号をフルサイズ画面３Ａに編集し、このフルサイズ画面３Ａとステップ（Ｓ８）で重畳画面３Ｂに表示可能に編集された映像とを重畳させる作業を終了した後、映像表示装置３へ重畳させた映像の送信を停止し、映像記録装置４へ乗かご１の停止の信号を出力する（Ｓ１３）。
【００２８】
また、映像表示装置３は、ステップ（Ｓ１３）により重畳させた映像がなくなると、防犯カメラ２からの映像をフルサイズ画面３Ａに表示させる（Ｓ１４）。そして、乗かご１の停止の信号を受信した映像記録装置４は、前述したハードディスクに記憶される映像を映像切替装置７へ送信するのを停止する（Ｓ１５）。
【００２９】
次に、乗かご１が乗客Ａの指定階に到着し、全ての乗客が乗かご１内にいなくなったとき、画像認識装置５に乗客がいないこと、すなわち乗客無信号を検出する（Ｓ１６）。そして、画像認識装置５は、乗客無信号を映像表示装置３と映像記録装置４に送信し、乗客無信号を受信した映像記録装置４は、前述したステップ（Ｓ４）から行っているＲＡＭに取り込まれた映像をハードディスクへ格納することを停止する（Ｓ１７）。また、乗客無信号を受信した映像表示装置３は、ステップ（Ｓ１４）による防犯カメラ２からの映像をフルサイズ画面３Ａへ表示させる作業を停止し、非表示とする（Ｓ１８）。
【００３０】
［本実施形態の効果］
このように構成した本発明によれば、映像切替表示装置７等によって乗かご１内に乗客Ｂが乗り込む際の映像が、乗かご１内のフルサイズ画面３Ａのリアルタイム映像に重畳され、この重畳された映像が乗かご１内の映像表示装置３に映されるので、乗かご１の乗客Ｂは、自らの顔画像を含む映像を映像表示装置３において確認することができ、これにより、乗かご１内での犯罪行為を従来よりも抑止することができるとともに、映像記録装置４の映像が記録されているかどうかを乗かご１内の乗客Ａ、Ｂが容易に判断できる。また、映像記録装置４に不具合が生じた場合には、映像表示装置３に映像が表示されないので、そのことを映像表示装置３の確認により乗客Ａ、Ｂが判断できるので、従来のように異常の発生を監視センタに通報するための機器が不要になり、システムに含まれる機器構成を従来よりも簡素化することができ、これに伴って、製作費を低減できる。
【００３１】
なお、上述の第１信号は、エレベータの乗かご１のドア８の開指令信号、乗かご１のドア８の開信号、乗かご１のドア８の全開信号、及び、乗かご１のドア８の開指令信号が出力されたときから全開信号が出力されるまでの間の時間を計時して出力される第１計時信号（例えば、タイマからの信号）のうちのいずれかから成り、第２信号は、乗かご１のドア８の閉指令信号、乗かご１のドア８の閉信号、エレベータの走行開始指令信号、乗かご１のドア８の閉指令信号が出力されたときから走行開始指令信号が出力されるまでの間の時間を計時して出力される第２計時信号（例えば、タイマからの信号）のいずれかから成るとしても、本実施形態と同様の作用効果を得ることができる。
【００３２】
さらに、本実施形態では、フルサイズ画面３Ａのリアルタイム映像に重畳させて表示する映像表示装置の重畳画面３Ｂの表示は、ステップ（Ｓ１）でのエレベータ制御装置６から出力される第１信号（ドア開信号）から、乗かご１の停止までとしたが、重畳画面３Ｂを、少なくとも第１信号（例えば、ドア開信号）が出力されたときから、第２信号（例えば、ドア閉指令信号）が出力されるまでの映像表示装置３の映像信号を繰り返し表示するようにしても、本実施形態と同様の作用効果を得ることができる。
【図面の簡単な説明】
【００３３】
【図１】本発明に係るエレベータの防犯カメラ映像表示システムの一実施形態を示すブロック図である。
【図２】エレベータの乗かごに乗客が乗り込む状態を乗かごの上方から見た図である。
【図３】本実施形態の動作を説明するためのフロー図である。
【図４】エレベータの乗かご内に乗客が乗り込んだ状態を示す背面図である。
【図５】乗かごに乗客が乗り込んだ後の映像表示装置の画面を示す拡大図である。
【図６】映像記録装置に不具合が生じた場合の画面の一例を示す図５に対応する図である。
【符号の説明】
【００３４】
１    乗かご
２    防犯カメラ
３    映像表示装置
３Ａ  フルサイズ画面
３Ｂ  重畳画面
４  映像記録装置
５  画像認識装置
６  エレベータ制御装置
７  映像切替表示装置
【図１】
2008127147.tif 000003
【図２】
2008127147.tif 000004
【図３】
2008127147.tif 000005
【図４】
2008127147.tif 000006
【図５】
2008127147.tif 000007
【図６】
2008127147.tif 000008